(57)【要約】【課題】グレアの抑制と、きらめき感による演出性の向上とを図ることができる照明装置を提供することである。【解決手段】実施形態に係る照明装置は、発光素子と；前記発光素子の照射側に設けられたカバーと；を具備している。そして、前記カバーは、前記カバーの中央側に設けられた第１の透光部と；前記第１の透光部の周縁に設けられ、前記第１の透光部の光の透過率よりも高い光の透過率を有する第２の透光部と；を有する。【選択図】図１
2015002127.tif 000002
【特許請求の範囲】
【請求項１】
発光素子と；前記発光素子の照射側に設けられたカバーと；を具備する照明装置であって、
前記カバーは、
前記カバーの中央側に設けられた第１の透光部と；
前記第１の透光部の周縁に設けられ、前記第１の透光部の光の透過率よりも高い光の透過率を有する第２の透光部と；
を有する照明装置。
【請求項２】
前記第１の透光部の光の散乱性は、前記第２の透光部の光の散乱性よりも高く、
前記第２の透光部の光の直進性は、前記第１の透光部の光の直進性よりも高い請求項１記載の照明装置。
【請求項３】
前記第２の透光部は、
前記発光素子から照射された光が入射する入射面と；
前記入射面から入射した光を前記照明装置の正面側に向けて照射する第１の照射面と；
を有し、
前記入射面は、前記第１の照射面と交差する方向に設けられている請求項１または２に記載の照明装置。
【請求項４】
前記第２の透光部は、前記入射面の光の入射側とは反対側に設けられ、前記入射面からの光を前記第１の照射面に向けて反射させる反射面をさらに有する請求項１〜３のいずれか１つに記載の照明装置。
【請求項５】
前記第２の透光部は、前記第１の照射面とは異なる方向に光を照射する第２の照射面をさらに有する請求項１〜４のいずれか１つに記載の照明装置。
【発明の詳細な説明】
【技術分野】
【０００１】
後述する実施形態は、概ね、照明装置に関する。
【背景技術】
【０００２】
発光ダイオード（Light Emitting Diode：ＬＥＤ）と、発光ダイオードの照射側に設けられた透光性のカバーと、を備えた照明装置がある。  
この様な照明装置においては、カバーの内側の面や外側の面に複数の凸部を設けて発光ダイオードから照射された光を拡散させるようにしている。  
発光ダイオードから照射された光を拡散させるカバーを設けるようにすれば、グレア（glare；眩輝）を抑制することができる。  
しかしながら、その一方で演出性が失われることになる。
【先行技術文献】
【特許文献】
【０００３】
【特許文献１】特開２０１２−２０６６０３号公報
【発明の概要】
【発明が解決しようとする課題】
【０００４】
本発明が解決しようとする課題は、グレアの抑制と、きらめき感による演出性の向上とを図ることができる照明装置を提供することである。
【課題を解決するための手段】
【０００５】
実施形態に係る照明装置は、発光素子と；前記発光素子の照射側に設けられたカバーと；を具備している。そして、前記カバーは、前記カバーの中央側に設けられた第１の透光部と；前記第１の透光部の周縁に設けられ、前記第１の透光部の光の透過率よりも高い光の透過率を有する第２の透光部と；を有する。
【発明の効果】
【０００６】
本発明の実施形態によれば、グレアの抑制と、きらめき感による演出性の向上とを図ることができる照明装置を提供することができる。
【図面の簡単な説明】
【０００７】
【図１】本実施の形態に係る照明装置１を例示するための模式平面図である。
【図２】本実施の形態に係る照明装置１を例示するための模式側面図である。
【図３】本実施の形態に係る照明装置１を例示するための模式断面図である。
【図４】本実施の形態に係る照明装置１の設置状態を例示するための模式図である。
【図５】他の実施形態に係るカバー１４が設けられた照明装置１ａを例示するための模式断面図である。
【図６】他の実施形態に係るカバー２４が設けられた照明装置１ｂを例示するための模式断面図である。
【図７】他の実施形態に係るカバー３４が設けられた照明装置１ｃを例示するための模式断面図である。
【図８】（ａ）は、他の実施形態に係るカバー４４が設けられた照明装置１ｄを例示するための模式断面図である。（ｂ）は、（ａ）におけるＣ部の模式拡大図である。
【図９】他の実施形態に係るカバー５４が設けられた照明装置１ｅを例示するための模式断面図である。
【図１０】他の実施形態に係るカバー６４が設けられた照明装置１ｆを例示するための模式部分断面図である。
【図１１】（ａ）、（ｂ）は、他の実施形態に係るカバー７４が設けられた照明装置１ｇを例示するための模式平面図である。
【図１２】他の実施形態に係るカバー８４が設けられた照明装置１ｈを例示するための模式平面図である。
【発明を実施するための形態】
【０００８】
第１の発明は、発光素子と；前記発光素子の照射側に設けられたカバーと；を具備する照明装置である。前記カバーは、前記カバーの中央側に設けられた第１の透光部と；前記第１の透光部の周縁に設けられ、前記第１の透光部の光の透過率よりも高い光の透過率を有する第２の透光部と；を有する。  
この照明装置によれば、グレアの抑制と、きらめき感による演出性の向上とを図ることができる。
【０００９】
また、第２の発明は、第１の発明において、前記第１の透光部の光の散乱性は、前記第２の透光部の光の散乱性よりも高く、前記第２の透光部の光の直進性は、前記第１の透光部の光の直進性よりも高い照明装置である。  
この照明装置によれば、グレアの抑制と、きらめき感による演出性の向上とを図ることができる。
【００１０】
また、第３の発明は、第１または第２の発明において、前記第２の透光部は、前記発光素子から照射された光が入射する入射面と；前記入射面から入射した光を前記照明装置の正面側に向けて照射する第１の照射面と；を有し、前記入射面は、前記第１の照射面と交差する方向に設けられている照明装置である。  
この照明装置によれば、グレアの抑制と、きらめき感による演出性の向上とを図ることができる。
【００１１】
また、第４の発明は、第１〜第３のいずれか１つの発明において、前記第２の透光部は、前記入射面の光の入射側とは反対側に設けられ、前記入射面からの光を前記第１の照射面に向けて反射させる反射面をさらに有する照明装置である。  
この照明装置によれば、第２の透光部を介した光の取り出し効率を向上させることができる。
【００１２】
また、第５の発明は、第１〜第４のいずれか１つの発明において、前記第２の透光部は、前記第１の照射面とは異なる方向に光を照射する第２の照射面をさらに有する照明装置である。  
この照明装置によれば、照明装置の周囲の壁の表面に光が照射されるので、光の広がりを感じさせることができるとともに、明るさ感を増大させることができる。
【００１３】
以下、図面を参照しつつ、実施の形態について例示をする。なお、各図面中、同様の構成要素には同一の符号を付して詳細な説明は適宜省略する。  
また、以下においては、本実施の形態に係る照明装置が、自動車などに設けられる室内灯である場合を例示するが、照明装置の用途はこれに限定されるわけではない。  
本実施の形態に係る照明装置は、例えば、鉄道用車輌、航空機、船舶などの移動体に設けられる室内灯や、家屋などに設けられる室内灯などにも適用することができる。
【００１４】
図１は、本実施の形態に係る照明装置１を例示するための模式平面図である。  
図２は、本実施の形態に係る照明装置１を例示するための模式側面図である。  
なお、図２は、図１におけるＡ−Ａ線矢視図である。  
図３は、本実施の形態に係る照明装置１を例示するための模式断面図である。  
なお、図３は、図１におけるＢ−Ｂ線断面図である。  
図４は、本実施の形態に係る照明装置１の設置状態を例示するための模式図である。
【００１５】
図１〜図３に示すように、照明装置１には、筐体２、発光モジュール３、およびカバー４が設けられている。  
筐体２は、箱状を呈し、一方の端部２ａが開口している。筐体２の端部２ａ側には、筐体２の外方に向けて突出するフランジ部２ｂが設けられている。フランジ部２ｂは、環状を呈し、筐体２の端部２ａの周囲を囲むように設けられている。
【００１６】
フランジ部２ｂの内部には空間が設けられている。フランジ部２ｂの内部の空間は、筐体２の発光モジュール３が設けられる空間と繋がっている。カバー４を取り付けた際には、カバー４の第２の透光部４ｂがフランジ部２ｂの内部の空間に入り込むようになっている。また、フランジ部２ｂには、カバー４を保持するための図示しない保持爪などを設けることができる。  
筐体２の材料には特に限定がない。筐体２は、例えば、樹脂材料や金属材料などを用いて形成することができる。
【００１７】
発光モジュール３は、筐体２の内部に設けられている。  
発光モジュール３には、基板３ａ、および発光素子３ｂが設けられている。  
基板３ａは、板状を呈し、表面に図示しない配線パターンが設けられている。  
基板３ａの材料や構造には特に限定はない。例えば、基板３ａは、酸化アルミニウムや窒化アルミニウムなどの無機材料（セラミックス）、紙フェノールやガラスエポキシなどの有機材料などから形成することができる。また、基板３ａは、金属板の表面を絶縁体で被覆したものであってもよい。なお、金属板の表面を絶縁体で被覆する場合には、絶縁体は、有機材料からなるものであってもよいし、無機材料からなるものであってもよい。
【００１８】
この場合、発光素子３ｂの発熱量が多い場合には、放熱の観点から熱伝導率の高い材料を用いて基板３ａを形成することが好ましい。熱伝導率の高い材料としては、例えば、酸化アルミニウムや窒化アルミニウムなどのセラミックス、高熱伝導性樹脂、金属板の表面を絶縁体で被覆したものなどを例示することができる。  
また、基板３ａは、単層であってもよいし、多層であってもよい。
【００１９】
発光素子３ｂは、基板３ａの表面に複数設けられている。  
発光素子３ｂは、例えば、発光ダイオード、レーザダイオードなどとすることができる。
【００２０】
発光素子３ｂは、外囲器の内部に設けられ、リードを介して基板３ａの配線パターンと電気的に接続される表面実装型の構成を有するものとすることができる。  
なお、発光素子３ｂは、基板３ａに接合され、ボンディングワイヤを介して基板３ａの配線パターンと電気的に接続されるＣＯＢ（Chip On Board）の構成を有するものとすることもできる。
【００２１】
また、発光素子３ｂを覆う図示しない封止部を設けることができる。そして、図示しない封止部には、蛍光体を含めることができる。蛍光体は、例えば、ＹＡＧ系蛍光体（イットリウム・アルミニウム・ガーネット系蛍光体）とすることができる。  
例えば、発光素子３ｂが青色発光ダイオード、蛍光体がＹＡＧ系蛍光体である場合には、発光素子３ｂから照射された青色の光によりＹＡＧ系蛍光体が励起され、ＹＡＧ系蛍光体から黄色の蛍光が放射される。そして、青色の光と黄色の光が混ざり合うことで、白色の光が照明装置１から照射される。なお、蛍光体の種類や発光素子３ｂの種類は例示をしたものに限定されるわけではなく、照明装置１の用途などに応じて所望の発光色が得られるように適宜変更することができる。
【００２２】
発光素子３ｂの光の照射面である上面は、照明装置１の正面側、すなわち、カバー４に向けられている。  
複数の発光素子３ｂの配設形態には特に限定はない。  
複数の発光素子３ｂの配設形態は、例えば、マトリクス状や同心円状などの規則的な配設形態とすることもできるし、所定の領域に偏在させるなどの任意の配設形態とすることもできる。
【００２３】
この場合、複数の発光素子３ｂの配設形態や数は、カバー４の大きさや照明装置１の厚み寸法、必要となる明るさに基づいて適宜変更することができる。  
例えば、カバー４の横寸法が１２０ｍｍ程度、カバー４の縦寸法が８０ｍｍ程度、照明装置１の厚み寸法が２０ｍｍ程度の場合には、発光ダイオードである発光素子３ｂの数を８個とすることができる。そして、８個の発光素子３ｂの配設形態をカバー４のほぼ中央部分を中心とした４行２列のマトリクス状とすることができる。
【００２４】
また、発光モジュール３には、外部から給電するためのコネクタや端子などの給電素子、発光素子３ｂの点灯状態を制御する制御素子、給電状態を切り替えるためのスイッチ素子、発光素子３ｂを保護する保護素子などの回路部品を必要に応じて適宜設けることができる。
【００２５】
カバー４は、発光素子３ｂの照射側に設けられている。  
カバー４は、筐体２の開口を覆うように設けられている。  
カバー４には、第１の透光部４ａおよび第２の透光部４ｂが設けられている。  
第１の透光部４ａは、例えば、板状を呈し、カバー４の中央側に設けられている。ただし、第１の透光部４ａの形状は、例示をしたものに限定されるわけではない。第１の透光部４ａの形状は、板状以外に、例えば、中央側を凸状や凹状の曲面形状としたものとすることもできる。  
第１の透光部４ａは、グレアを抑制するために設けられている。そのため、第１の透光部４ａは、入射した光の強度を弱めるために光の透過率を低くしている。
【００２６】
例えば、第１の透光部４ａの入射面４ａ１および照射面４ａ２の少なくともいずれかにブラスト加工などの拡散処理を施したり、入射面４ａ１および照射面４ａ２の少なくともいずれかに散乱材料を含む散乱層を設けたりすることで、光の透過率を低くすることができる。  
また、第１の透光部４ａを散乱材料を含む透光性材料から形成することで、光の透過率を低くすることもできる。  
散乱材料は、例えば、主剤（透光性材料）と異なる屈折率を有する微粒子を添加する構成等とすることができる。また、散乱材料は、酸化チタン等からなる微粒子などとすることもできる。
【００２７】
この場合、第１の透光部４ａにおける光の直線透過率を６０％以下とすれば、グレアを効果的に抑制することができる。  
また、第１の透光部４ａにおける光の直線透過率を３０％以上、５０％以下とすれば、照明装置としての機能を損なうことなく、グレアをさらに効果的に抑制することができる。
【００２８】
なお、本明細書において光の透過率が低いとは、光の吸収率が高いことを意味するものではない。光の透過率が低いとは、第１の透光部４ａを透過しない光の大部分が反射されることを意味している。第１の透光部４ａで反射された光は、筐体２の内壁面や基板３ａの表面などで反射され、最終的には大部分が第１の透光部４ａを透過する。
【００２９】
第２の透光部４ｂは、第１の透光部４ａの周縁に設けられている。  
第２の透光部４ｂは、きらめき感による演出性の向上を図るために設けられている。そのため、第２の透光部４ｂは、第１の透光部４ａの光の透過率よりも高い光の透過率を有する。  
例えば、第２の透光部４ｂは、直線透過率が８０％以上の透光性材料を用いて形成することができる。  
以上に説明したように、第１の透光部４ａの光の散乱性は、第２の透光部４ｂの光の散乱性よりも高い。また、第２の透光部４ｂの光の直進性は、第１の透光部４ａの光の直進性よりも高い。
【００３０】
第２の透光部４ｂは、入射面４ｂ１、第１の照射面４ｂ２、および第２の照射面４ｂ３を有する。  
入射面４ｂ１には、発光素子３ｂから照射された光が入射する。  
入射面４ｂ１は、第１の照射面４ｂ２と交差する方向に設けられている。  
図３に例示をしたものの場合には、入射面４ｂ１は、第１の照射面４ｂ２と直交する方向に設けられている。  
入射面４ｂ１は、発光素子３ｂからの直接光が入射できる位置に設けられている。例えば、入射面４ｂ１は、フランジ部２ｂの筐体２の中央側の端部近傍に設けることができる。
【００３１】
第１の照射面４ｂ２は、第１の透光部４ａの照射面４ａ２とほぼ平行となるように設けられている。この場合、第１の照射面４ｂ２と、第１の透光部４ａの照射面４ａ２とがほぼ同一平面内にあるようにすることができる。  
第１の照射面４ｂ２は、入射面４ｂ１から入射した光を照明装置１の正面側に向けて照射する。  
第２の照射面４ｂ３は、第１の照射面４ｂ２と交差する方向に設けられている。  
図３に例示をしたものの場合には、第２の照射面４ｂ３は、第１の照射面４ｂ２と直交する方向に設けられている。  
第２の照射面４ｂ３は、第１の照射面４ｂ２とは異なる方向に光を照射する。
【００３２】
発光素子３ｂから照射された光の一部は、第２の透光部４ｂの入射面４ｂ１に入射し、第２の透光部４ｂの内部を伝播して、第２の透光部４ｂの第１の照射面４ｂ２および第２の照射面４ｂ３から照射される。  
この際、第２の透光部４ｂの光の透過率が高くなっているので、第１の照射面４ｂ２および第２の照射面４ｂ３から照射される光の強度が低下するのを抑制することができる。
【００３３】
そのため、第１の照射面４ｂ２から照明装置１の正面側に輝きのある光を照射することができる。  
また、第２の照射面４ｂ３から照明装置１の側面側に輝きのある光を照射することができる。
【００３４】
図４に示すように、照明装置１は、自動車などの室内の壁１００に設けられた孔１００ａの内部に設置される。  
また、筐体２の端部２ａの位置と、壁１００の表面１００ｂとがほぼ同一平面内にあるようにされている。そのため、カバー４は、壁１００の表面１００ｂから自動車などの室内に向けて突出している。
【００３５】
広い面積を有する第１の透光部４ａの照射面４ａ２からは、グレアが抑制された柔らかい感じのする光Ｌ１が自動車などの室内に向けて照射される。そして、照射面４ａ２の周縁に設けられ線状を呈する第１の照射面４ｂ２からは、輝きのある光Ｌ２が自動車などの室内に向けて照射される。
【００３６】
そのため、点灯状態にある照明装置１を見た場合には、面状の柔らかい感じのする光Ｌ１を囲むように、線状の輝きのある光Ｌ２が見えることになる。  
本実施の形態に係る照明装置１とすれば、グレアの抑制と、きらめき感による演出性の向上とを図ることができる。
【００３７】
また、第２の照射面４ｂ３からは、照明装置１の側面側に輝きのある光Ｌ３が照射される。  
そのため、照明装置１の周囲の壁１００の表面１００ｂに光Ｌ３が照射されるので、光の広がりを感じさせることができるとともに、明るさ感を増大させることができる。  
この場合、カバー４の厚み寸法は小さくすることができるので、カバー４が壁１００の表面１００ｂから自動車などの室内に向けて突出していても、圧迫感を生じることがない。
【００３８】
図５は、他の実施形態に係るカバー１４が設けられた照明装置１ａを例示するための模式断面図である。  
図５に示すように、照明装置１ａには、筐体２、発光モジュール３、およびカバー１４が設けられている。
【００３９】
カバー１４には、第１の透光部４ａおよび第２の透光部１４ｂが設けられている。  
第２の透光部１４ｂは、第１の透光部４ａの周縁に設けられている。  
第２の透光部１４ｂは、きらめき感による演出性の向上を図るために設けられている。そのため、第２の透光部１４ｂは、第１の透光部４ａの光の透過率よりも高い光の透過率を有する。  
例えば、第２の透光部１４ｂは、直線透過率が８０％以上の透光性材料を用いて形成することができる。
【００４０】
第２の透光部１４ｂは、入射面１４ｂ１、第１の照射面１４ｂ２、第２の照射面１４ｂ３、および反射面１４ｂ４を有する。  
入射面１４ｂ１は、前述した入射面４ｂ１と同様とすることができる。  
第１の照射面１４ｂ２は、前述した第１の照射面４ｂ２と同様とすることができる。  
第２の照射面１４ｂ３は、前述した第２の照射面４ｂ３と同様とすることができる。
【００４１】
反射面１４ｂ４は、入射面１４ｂ１の光の入射側とは反対側に設けられている。反射面１４ｂ４は、入射面１４ｂ１からの光を第１の照射面１４ｂ２および第２の照射面１４ｂ３に向けて反射させる。  
反射面１４ｂ４は、照明装置１ａの外方側の端部が第１の照射面１４ｂ２に近接する方向に傾斜している。
【００４２】
発光素子３ｂから照射された光の一部は、第２の透光部１４ｂの入射面１４ｂ１に入射し、第２の透光部１４ｂの内部を伝播して、反射面１４ｂ４に入射する。反射面１４ｂ４に入射した光は、全反射して、第１の照射面１４ｂ２および第２の照射面１４ｂ３に向かうように進行方向が変えられる。  
反射面１４ｂ４により進行方向が変えられた光は、第１の照射面１４ｂ２および第２の照射面１４ｂ３から照射される。
【００４３】
反射面１４ｂ４を設けるようにすれば、第２の透光部１４ｂの内部において光の進行方向を変える際の損失を低減させることができる。  
そのため、第２の透光部１４ｂを介した光の取り出し効率を向上させることができる。
【００４４】
図６は、他の実施形態に係るカバー２４が設けられた照明装置１ｂを例示するための模式断面図である。  
図６に示すように、照明装置１ｂには、筐体２、発光モジュール３、およびカバー２４が設けられている。
【００４５】
カバー２４には、第１の透光部４ａおよび第２の透光部２４ｂが設けられている。  
第２の透光部２４ｂは、第１の透光部４ａの周縁に設けられている。  
第２の透光部２４ｂは、きらめき感による演出性の向上を図るために設けられている。そのため、第２の透光部２４ｂは、第１の透光部４ａの光の透過率よりも高い光の透過率を有する。  
例えば、第２の透光部２４ｂは、直線透過率が８０％以上の透光性材料を用いて形成することができる。
【００４６】
第２の透光部２４ｂは、入射面２４ｂ１、第１の照射面２４ｂ２、第２の照射面２４ｂ３、および接続面２４ｂ４を有する。  
第１の照射面２４ｂ２は、前述した第１の照射面４ｂ２と同様とすることができる。  
第２の照射面２４ｂ３は、前述した第２の照射面４ｂ３と同様とすることができる。
【００４７】
入射面２４ｂ１は、前述した入射面４ｂ１と同様とすることができる。  
接続面２４ｂ４は、第１の透光部４ａの周縁と対峙している。接続面２４ｂ４は、第１の透光部４ａの周縁に接続されている。
【００４８】
接続面２４ｂ４は、入射面２４ｂ１とほぼ同一平面内にある。
【００４９】
すなわち、第１の透光部４ａの周縁は、入射面２４ｂ１よりも照明装置１ｂの外方に位置していない。  
そのため、入射面２４ｂ１から第２の透光部２４ｂの内部に入射した光は、第１の透光部４ａにより遮られることなく、第１の照射面２４ｂ２および第２の照射面２４ｂ３から照射される。  
そのため、第２の透光部２４ｂを介した光の取り出し効率を向上させることができる。
【００５０】
図７は、他の実施形態に係るカバー３４が設けられた照明装置１ｃを例示するための模式断面図である。  
図７に示すように、照明装置１ｃには、筐体２、発光モジュール３、およびカバー３４が設けられている。
【００５１】
カバー３４には、第１の透光部４ａおよび第２の透光部３４ｂが設けられている。  
第２の透光部３４ｂは、第１の透光部４ａの周縁に設けられている。  
第２の透光部３４ｂは、きらめき感による演出性の向上を図るために設けられている。そのため、第２の透光部３４ｂは、第１の透光部４ａの光の透過率よりも高い光の透過率を有する。  
例えば、第２の透光部３４ｂは、直線透過率が８０％以上の透光性材料を用いて形成することができる。
【００５２】
第２の透光部３４ｂは、入射面３４ｂ１、第１の照射面３４ｂ２、第２の照射面３４ｂ３、および接続面３４ｂ４を有する。  
第１の照射面３４ｂ２は、前述した第１の照射面２４ｂ２と同様とすることができる。  第２の照射面３４ｂ３は、前述した第２の照射面２４ｂ３と同様とすることができる。
【００５３】
接続面３４ｂ４は、前述した接続面２４ｂ４と同様とすることができる。  
入射面３４ｂ１は、第１の透光部４ａの入射面４ａ１から突出している。  
入射面３４ｂ１は、発光モジュール３側の端部が照明装置１ｃの外方に向かう方向に傾斜している。
【００５４】
そのため、入射面３４ｂ１に入射した光を第１の照射面３４ｂ２に向けて屈折させ、そのまま第１の照射面３４ｂ２から照射させやすくなる。また、入射面３４ｂ１の面積を増大させることができる。  
その結果、第２の透光部３４ｂを介した光の取り出し効率を向上させることができる。
【００５５】
図８（ａ）は、他の実施形態に係るカバー４４が設けられた照明装置１ｄを例示するための模式断面図である。  
図８（ｂ）は、図８（ａ）におけるＣ部の模式拡大図である。  
図８（ａ）に示すように、照明装置１ｄには、筐体２、発光モジュール３、およびカバー４４が設けられている。
【００５６】
カバー４４には、第１の透光部４ａおよび第２の透光部４４ｂが設けられている。  
第２の透光部４４ｂは、第１の透光部４ａの周縁に設けられている。  
第２の透光部４４ｂは、きらめき感による演出性の向上を図るために設けられている。そのため、第２の透光部４４ｂは、第１の透光部４ａの光の透過率よりも高い光の透過率を有する。  
例えば、第２の透光部４４ｂは、直線透過率が８０％以上の透光性材料を用いて形成することができる。
【００５７】
第２の透光部４４ｂは、第１の入射面４４ｂ１ａ、第２の入射面４４ｂ１ｂ、第１の照射面４４ｂ２、第２の照射面４４ｂ３、および接続面４４ｂ４を有する。  
第１の照射面４４ｂ２は、前述した第１の照射面３４ｂ２と同様とすることができる。  第２の照射面４４ｂ３は、前述した第２の照射面３４ｂ３と同様とすることができる。
【００５８】
図８（ｂ）に示すように、接続面４４ｂ４は、第１の接続面４４ｂ４ａおよび第２の接続面４４ｂ４ｂを有する。  
第１の接続面４４ｂ４ａは、第１の透光部４ａの周縁と対峙している。第１の接続面４４ｂ４ａは、第１の透光部４ａの周縁に接続されている。  
第２の接続面４４ｂ４ｂは、第１の透光部４ａの照射面４ａ２とほぼ平行となるように設けられている。
【００５９】
第１の接続面４４ｂ４ａおよび第２の接続面４４ｂ４ｂを有するものとすれば、第１の透光部４ａとの間における接続面積を大きくすることができる。そのため、第１の透光部４ａと第２の透光部４４ｂとの間における接続強度を向上させることができる。  
例えば、第１の透光部４ａと第２の透光部４４ｂとを二色成形法（ダブルモールド法）を用いて一体成形すれば、生産性を向上させることができる。この場合、第１の接続面４４ｂ４ａおよび第２の接続面４４ｂ４ｂを有するものとすれば、第１の透光部４ａと第２の透光部４４ｂとの間における接続強度を向上させることができるので、安定した成形を行うことができる。
【００６０】
第１の入射面４４ｂ１ａは、第１の透光部４ａの入射面４ａ１から突出している。  
第１の入射面４４ｂ１ａは、発光モジュール３側の端部が照明装置１ｄの外方に向かう方向に傾斜している。また、第２の入射面４４ｂ１ｂは、第１の入射面４４ｂ１ａと連結しており、第１の透光部４ａの入射面４ａ１とほぼ平行となるように設けられている。  
そのため、第１の入射面４４ｂ１ａ、及び、第２の入射面４４ｂ１ｂに入射した光を第１の照射面４４ｂ２に向けて屈折させ、そのまま第１の照射面４４ｂ２から照射させやすくなる。  
また、第１の入射面４４ｂ１ａに加えて第２の入射面４４ｂ１ｂを設けたことにより、入射面の面積を増大させることができるので、第１の照射面４４ｂ２、第２の照射面４４ｂ３からの発光量を増やすことができる。  
その結果、第２の透光部４４ｂを介した光の取り出し効率を向上させることができる。
【００６１】
図９は、他の実施形態に係るカバー５４が設けられた照明装置１ｅを例示するための模式断面図である。  
図９に示すように、照明装置１ｅには、筐体２、発光モジュール３、およびカバー５４が設けられている。  
カバー５４には、第１の透光部４ａおよび第２の透光部５４ｂが設けられている。  
第２の透光部５４ｂは、周縁部５４ｂａおよび中央部５４ｂｂを有する。
【００６２】
周縁部５４ｂａは、第１の透光部４ａの周縁に設けられている。  
周縁部５４ｂａは、きらめき感による演出性の向上を図るために設けられている。  
そのため、周縁部５４ｂａは、第１の透光部４ａの光の透過率よりも高い光の透過率を有する。  
例えば、周縁部５４ｂａは、直線透過率が８０％以上の透光性材料を用いて形成することができる。
【００６３】
周縁部５４ｂａは、第１の入射面５４ｂ１ａ、第２の入射面５４ｂ１ｂ、第１の照射面５４ｂ２、第２の照射面５４ｂ３、および接続面５４ｂ４を有する。  
第１の入射面５４ｂ１ａ、及び、第２の入射面５４ｂ１ｂは、前述した第１の入射面４４ｂ１ａ、及び、第２の入射面４４ｂ１ｂと同様とすることができる。  
第１の照射面５４ｂ２は、前述した第１の照射面４４ｂ２と同様とすることができる。  第２の照射面５４ｂ３は、前述した第２の照射面４４ｂ３と同様とすることができる。  接続面５４ｂ４は、前述した第１の接続面４４ｂ４ａと同様とすることができる。
【００６４】
中央部５４ｂｂは、第１の透光部４ａの照射面４ａ２を覆うように設けられている。また、中央部５４ｂｂの上面と、第１の照射面５４ｂ２とはほぼ同一平面内にある。  
中央部５４ｂｂの材料は、周縁部５４ｂａの材料と同一とすることができる。また、中央部５４ｂｂと周縁部５４ｂａとを一体成形することもできる。なお、二色成形法を用いて、第１の透光部４ａと、中央部５４ｂｂと周縁部５４ｂａとからなる第２の透光部５４ｂと、を一体成形することもできる。
【００６５】
発光素子３ｂから照射され第１の透光部４ａに入射した光は散乱発光となるため、グレアが抑制された柔らかい感じのする光となる。そして、第１の透光部４ａから照射された光は、中央部５４ｂｂを透過して照明装置１ｅの外部に照射される。  
発光素子３ｂから照射され周縁部５４ｂａに入射した光は、第１の照射面５４ｂ２および第２の照射面５４ｂ３から照明装置１ｅの外部に照射される。この場合、第１の照射面５４ｂ２および第２の照射面５４ｂ３から照射される光は、輝きのある光となる。
【００６６】
そのため、グレアの抑制と、きらめき感による演出性の向上とを図ることができる。  
またさらに、中央部５４ｂｂの上面と、第１の照射面５４ｂ２とがほぼ同一平面内にあるので、よりすっきりしたデザインとなる。そのため、商品性を向上させることができる。
【００６７】
図１０は、他の実施形態に係るカバー６４が設けられた照明装置１ｆを例示するための模式部分断面図である。  
図１０に示すように、照明装置１ｆには、筐体２、発光モジュール３、およびカバー６４が設けられている。  
カバー６４には、第１の透光部６４ａおよび第２の透光部６４ｂが設けられている。
【００６８】
第１の透光部６４ａは、前述した第１の透光部４ａと同様とすることができる。  
ただし、第１の透光部６４ａの入射面６４ａ１および照射面６４ａ２には、複数の凹部６５が設けられている。  
凹部６５は、例えば、球面の凹面を有する曲面形状のレンズとすることができる。  
また、凹部６５は、任意の形状を有するデザインパターンとすることもできる。  
なお、複数の凹部６５は、入射面６４ａ１および照射面６４ａ２の少なくともいずれかに設けるようにすることができる。  
この場合、入射面６４ａ１および照射面６４ａ２において、凹部６５の大きさ、形状、数、配設密度などを変えることもできる。
【００６９】
第２の透光部６４ｂは、前述した第２の透光部４ｂと同様とすることができる。  
ただし、第２の透光部６４ｂの入射面６４ｂ１、第１の照射面６４ｂ２、第２の照射面６４ｂ３、および下面６４ｂ４には、複数の凹部６６が設けられている。  
凹部６６は、例えば、球面の凹面を有する曲面形状のレンズとすることができる。  
また、凹部６６は、任意の形状を有するデザインパターンとすることもできる。  
また、凹部６６は、凹部６５と同様とすることもできる。
【００７０】
なお、複数の凹部６６は、入射面６４ｂ１、第１の照射面６４ｂ２、第２の照射面６４ｂ３、および下面６４ｂ４の少なくともいずれかに設けるようにすることができる。  
この場合、入射面６４ｂ１、第１の照射面６４ｂ２、第２の照射面６４ｂ３、および下面６４ｂ４において、凹部６６の大きさ、形状、数、配設密度などを変えることもできる。
【００７１】
第１の透光部６４ａや第２の透光部６４ｂの表面にレンズやデザインパターンを設けるようにすれば、照射される光の強度の強弱が、デザインとして現れる。そのため、演出性の向上をさらに図ることができる。  
なお、凹部６５や凹部６６は、前述した各実施の形態に係るカバーにも適用することができる。
【００７２】
図１１（ａ）と図１１（ｂ）は、他の実施形態に係るカバー７４が設けられた照明装置１ｇを例示するための模式平面図である。  
図１１（ａ）と図１１（ｂ）に示すように、照明装置１ｇには、筐体２、カバー７４、およびスイッチ７０が設けられている。  
また、図示は省略したが、前述したものと同様に筐体２の内部には、発光モジュール３が設けられている。
【００７３】
図１１（ａ）の構成では、カバー７４には、第１の透光部７４ａおよび第２の透光部７４ｂが設けられている。  
第１の透光部７４ａは、第１の透光部４ａと同様とすることができる。  
第２の透光部７４ｂは、第２の透光部４ｂと同様とすることができる。  
ただし、第１の透光部７４ａおよび第２の透光部７４ｂには、スイッチ７０の操作面７０ａを露出させるための切り欠きが設けられている。
【００７４】
スイッチ７０は、操作面７０ａをカバー７４の表面から露出させて設けられている。  
スイッチ７０は、例えば、操作面７０ａに図示しないスライド操作部を有するものとすることができる。  
スイッチ７０は、例えば、図示しないスライド操作部をオン位置に移動させることで発光素子３ｂを点灯させ、図示しないスライド操作部をオフ位置に移動させることで発光素子３ｂを消灯させるものとすることができる。
【００７５】
また、スイッチ７０は、例えば、図示しないスライド操作部をオン位置とオフ位置との間に移動させることで、自動車などのドアの開閉に連動して、発光素子３ｂを点灯または消灯させるものとすることができる。  
また、図１１（ｂ）に示すように、スイッチ７０を、第１の透光部７４ａ部分に配置して、第２の透光部７４ｂを第１の透光部の周囲に配置させる構成としても良い。
スイッチ７０の形状、大きさ、数、配設位置などは、例示をしたものに限定されるわけではなく適宜変更することができる。
【００７６】
カバー７４の表面からスイッチ７０の操作面７０ａを露出させると、スイッチ７０の操作面７０ａが露出した部分からは光が照射されないことになる。  
しかしながら、スイッチ７０の操作面７０ａが露出していない部分からは、前述したグレアが抑制された柔らかい感じのする光と、輝きのある光とがそれぞれ照射されることになる。
【００７７】
そのため、カバー７４の表面からスイッチ７０の操作面７０ａを露出させても、グレアの抑制と、きらめき感による演出性の向上とを図ることができる。  
なお、スイッチ７０は、前述した各実施の形態に係る照明装置にも適用することができる。
【００７８】
図１２は、他の実施形態に係るカバー８４が設けられた照明装置１ｈを例示するための模式平面図である。  
図１２に示すように、照明装置１ｈには、筐体２、およびカバー８４が設けられている。
また、図示は省略したが、前述したものと同様に筐体２の内部には、発光モジュール３が設けられている。
【００７９】
カバー８４には、第１の透光部８４ａおよび第２の透光部８４ｂが設けられている。  
第１の透光部８４ａは、第１の透光部４ａと同様とすることができる。  
第２の透光部８４ｂは、第２の透光部４ｂと同様とすることができる。  
ただし、第２の透光部８４ｂは、複数の部分に分割され、分割された第２の透光部８４ｂ同士の間には、光の透過率が異なる部分８４ｃが設けられている。
【００８０】
部分８４ｃの光の透過率は、第２の透光部８４ｂの光の透過率よりも低ければ特に限定はない。  
例えば、部分８４ｃの光の透過率は、第１の透光部８４ａの光の透過率と同等とすることができる。  
また、部分８４ｃは、光を透過させないものであってもよい。
【００８１】
部分８４ｃを設けるようにすれば、照射される光の強度の強弱が、デザインとして現れる。そのため、演出性の向上をさらに図ることができる。  
この場合、部分８４ｃの数、大きさ、配設位置、光の透過率などを適宜変更することで、演出性を制御することができる。
【００８２】
以上、本発明のいくつかの実施形態を例示したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更などを行うことができる。これら実施形態やその変形例は、発明の範囲や要旨に含まれるとともに、特許請求の範囲に記載された発明とその均等の範囲に含まれる。また、前述の各実施形態は、相互に組み合わせて実施することができる。
【符号の説明】
【００８３】
１  照明装置、１ａ〜１ｈ  照明装置、２  筐体、３  発光モジュール、３ｂ  発光素子、４  カバー、４ａ  第１の透光部、４ａ１  入射面、４ａ２  照射面、４ｂ  第２の透光部、４ｂ１  入射面、４ｂ２  第１の照射面、４ｂ３  第２の照射面、１４  カバー、１４ｂ  第２の透光部、１４ｂ１  入射面、１４ｂ２  第１の照射面、１４ｂ３  第２の照射面、１４ｂ４  反射面、２４  カバー、２４ｂ  第２の透光部、２４ｂ１  入射面、２４ｂ２  第１の照射面、２４ｂ３  第２の照射面、３４  カバー、３４ｂ  第２の透光部、３４ｂ１  入射面、３４ｂ２  第１の照射面、３４ｂ３  第２の照射面、３４ｂ４  接続面、４４  カバー、４４ｂ  第２の透光部、４４ｂ１ａ  第１の入射面、４４ｂ１ｂ  第２の入射面、４４ｂ２  第１の照射面、４４ｂ３  第２の照射面、４４ｂ４  接続面、５４  カバー、５４ｂ  第２の透光部、５４ｂ１ａ  第１の入射面、５４ｂ１ｂ  第２の入射面、５４ｂ２  第１の照射面、５４ｂ３  第２の照射面、５４ｂ４  接続面、６４  カバー、６４ａ  第１の透光部、６４ａ１  入射面、６４ａ２  照射面、６４ｂ  第２の透光部、６４ｂ１  入射面、６４ｂ２  第１の照射面、６４ｂ３  第２の照射面、６４ｂ４  下面、６５  凹部、６６  凹部、７０  スイッチ、７０ａ  操作面、７４  カバー、７４ａ  第１の透光部、７４ｂ  第２の透光部、８４  カバー、８４ａ  第１の透光部、８４ｂ  第２の透光部、８４ｃ  部分
【図１】
2015002127.tif 000003
【図２】
2015002127.tif 000004
【図３】
2015002127.tif 000005
【図４】
2015002127.tif 000006
【図５】
2015002127.tif 000007
【図６】
2015002127.tif 000008
【図７】
2015002127.tif 000009
【図８】
2015002127.tif 000010
【図９】
2015002127.tif 000011
【図１０】
2015002127.tif 000012
【図１１】
2015002127.tif 000013
【図１２】
2015002127.tif 000014